(57)【要約】【課題】  遮音性の向上を図れる壁パネルを提供する。【解決手段】  壁パネルの下地部材の少なくとも一面に張り付けられた面材３０を、第１面状部材３１と第２面状部材３２とを含み構成し、これら第１面状部材３１と第２面状部材３２とを、両者の対向面のいずれかの面に間欠的に塗布された接着剤３５で貼り合わせて接合する。この接着剤３５は、合成ゴム系接着剤が使用され、所定の間隔で直線状になった３列が互いに平行に塗布されている。そのため、接着剤が塗布されていない部位では個別に振動して、接着剤の部位の振動とは別個の振動となるので、面材全体の共振が減少し、その結果、壁パネルの遮音性の向上を図れる。【選択図】 図３
2005113401.tif 000002
【特許請求の範囲】
【請求項１】
芯材の側面の少なくとも一面に面材を張り付けて形成される壁パネルにおいて、
前記面材は、第１面状部材と第２面状部材とを貼り合わせて形成され、これら第１面状部材と第２面状部材との貼り合わせは、両面状部材のいずれかの貼り合わせ面に間欠的に塗布された接着剤によって行われることを特徴とする壁パネル。
【請求項２】
請求項１に記載の壁パネルにおいて、前記接着剤は、直線状に塗布されるとともに、所定間隔で互いに平行となって複数列に塗布されていることを特徴とする壁パネル。
【請求項３】
請求項２に記載の壁パネルにおいて、前記接着剤は、前記いずれかの面の幅方向中央部とその両側外側寄りとの合計３列に、幅方向と直交する方向に塗布されていることを特徴とする壁パネル。
【請求項４】
請求項１ないし請求項３のいずれかに記載の壁パネルにおいて、前記接着剤は、弾性を有するものであることを特徴とする壁パネル。
【請求項５】
請求項４に記載の壁パネルにおいて、前記接着剤は、合成ゴム系接着剤であることを特徴とする壁パネル。
【請求項６】
請求項１ないし請求項５のいずれかに記載の壁パネルにおいて、建物の間仕切り壁として用いられることを特徴とする壁パネル。
【発明の詳細な説明】
【技術分野】
【０００１】
本発明は、建物の例えば間仕切り壁や内壁等に用いられる壁パネルに関する。
【背景技術】
【０００２】
一般に、建物の部屋は内壁で囲まれ、また、隣り合う室同士は間仕切り壁で仕切られている。このような間仕切り壁の構造としては、図８に示すようなものがある。この間仕切り壁６０は、複数の壁パネル７０を備えて構成され、この壁パネル７０は、下地部材８０の両面に、石膏ボード等で形成された面材９０を貼り付けて構成されている。
面材９０は、例えば、厚さが異なる石膏ボードからなる第１面状部材９１および第２面状部材９２の２枚を貼り合わせて所定の厚さを確保して形成されている。
【０００３】
第１面状部材９１および第２面状部材９２の貼り合わせは、例えば第１面状部材９１の貼り合わせ面に、酢酸ビニルエマルジョン系の接着剤９５を全面に塗布した後、両面状部材９１，９２を互いに押し付けて接着している。また、両面状部材９１，９２のうち、例えば第１面状部材９１の一端に、第２面状部材９２の一端に対して突出させた突出部９１Ａを設けるとともに、第２面状部材９２の他端を第１面状部材９１の他端に対して突出させた突出部９２Ｂを設け、それぞれの端部を入れ子状に形成している。
そして、このような壁パネル７０を室の大きさに応じて、１枚または複数枚並設し、これにより前記間仕切り壁６０が構成されている（例えば、特許文献参照）。
【０００４】
【特許文献１】特開平９−２９６５２０号公報
【発明の開示】
【発明が解決しようとする課題】
【０００５】
しかし、前記特許文献では、第１面状部材９１の貼り合わせ面全面に、酢酸ビニルエマルジョン系の接着剤９５を塗布して、第１面状部材９１と第２面状部材９２との貼り合わせを行っているので、全面に塗布された接着剤９５があたかもダイアフラムにも似た働きをする。その結果、２枚の面状部材９１，９２で形成された面材９０がダイアフラム振動を起こし、壁パネル７０の遮音性が低下するという課題がある。この課題は、居室空間が広くなり、間仕切り壁６０が大型化するに伴い、壁パネル７０も複数枚を連続させて設けることになり、それぞれの壁パネル７０の面材９０がダイアフラム振動を起こすため、遮音性の低下が一層目立つものになる。
【０００６】
本発明の目的は、遮音性の向上を図れる壁パネルを提供することである。
【課題を解決するための手段】
【０００７】
本発明の請求項１の壁パネルは、図面を参照して説明すると、図３に示すように、芯材の側面の少なくとも一面に面材３０を張り付けて形成される壁パネルにおいて、前記面材３０は、第１面状部材３１と第２面状部材３２とを貼り合わせて形成され、これら第１面状部材３１と第２面状部材３２との貼り合わせは、両面状部材３１，３２のいずれかの貼り合わせ面に間欠的に塗布された接着剤３５によって行われることを特徴とする。
【０００８】
この発明によれば、２枚の面状部材が、間欠的に塗布された接着剤で貼り合わされているので、接着剤が塗布されていない部位では、接着剤の部位の振動とは別個の振動となるので、面材全体の共振が減少し、その結果、壁パネルの遮音性の向上を図れる。
【０００９】
本発明の請求項２の壁パネルは、図３に示すように、請求項１に記載の壁パネルにおいて、前記接着剤３５は、直線状に塗布されるとともに、所定間隔で互いに平行となって複数列に塗布されていることを特徴とする。
この発明では、接着剤の塗布に際して、複数列を所定の間隔で直線状に塗布すればよいので、連続的に塗布作業ができ、作業効率が向上する。また、機械による自動塗布作業も可能となる。
【００１０】
本発明の請求項３の壁パネルは、図３に示すように、請求項２に記載の壁パネルにおいて、前記接着剤３５は、前記いずれかの面の幅方向中央部とその両側外側寄りとの合計３列に、幅方向と直交する方向に塗布されていることを特徴とする。
この発明では、接着剤が３列に塗布されているので、全面塗布、あるいは３列以上に塗布される場合と比べて、接着剤の塗布作業が少ない手間ですむとともに、接着剤の使用量も少なくてすむ。
【００１１】
本発明の請求項４の壁パネルは、図３に示すように、請求項１ないし請求項３のいずれかに記載の壁パネルにおいて、前記接着剤３５は、弾性を有するものであることを特徴とする。
この発明では、接着剤が弾性を有するので、その接着剤でも振動が吸収される。その結果、接着剤を塗布した部分でも遮音性が向上し、壁パネル全体として一層遮音性が向上する。
【００１２】
本発明の請求項５の壁パネルは、図３に示すように、請求項４に記載の壁パネルにおいて、前記接着剤３５は、合成ゴム系接着剤であることを特徴とする。
この発明によれば、接着剤が合成ゴム系接着剤なので、弾性を有するとともに、遮音性を向上させることができ、かつ、耐久性に優れた壁パネルとできる。
【００１３】
本発明の請求項６の壁パネルは、図１に示すように、請求項１ないし請求項５のいずれかに記載の壁パネル１０において、建物の間仕切り壁１として用いられることを特徴とする。
この発明によれば、建物の間仕切り壁を遮音性に優れたものとすることができる。
【発明を実施するための最良の形態】
【００１４】
以下、本発明の実施形態を図面に基づいて説明する。
図１、図２には本実施形態の壁パネル１０および壁パネル１０を使用した建物の間仕切り壁１が示されている。
図１に示すように、間仕切り壁１は、複数枚の壁パネル１０を横方向に連続させて構成され、各壁パネル１０は、芯材である下地部材２０と、この下地部材２０の両面に張られた面材３０とを備えて構成されている。
【００１５】
下地部材２０は、例えば天井枠部材２１と床枠部材２２とを、所定間隔で配置された縦部材（スタッド）２３で連結して枠状に組まれている。天井枠部材２１、床枠部材２２、およびスタッド２３は、それぞれ例えば合板等の木材で形成されている。天井枠部材２１が、天井面材２４を挟み込んで木ねじ２５で天井小梁２６に固定され、床枠部材２２が、高さ調整材２７および床面材２８Ａを挟み込んで木ねじ２５で床根太２９に固定されている。なお、高さ調整材２７も、合板等の木材で形成されている。また、床面材２８Ａとフローリング２８Ｂとで床２８が構成されている。
【００１６】
スタッド２３とスタッド２３との間隔は、所定寸法、例えば９１０ｍｍに設定され、天井枠部材２１と床枠部材２２との長さは、上記スタッド２３が例えば３本配置される程度に形成されている。そして、これらの天井枠部材２１、床枠部材２２、およびスタッド２３を含み前記壁パネル１０が構成され、このような壁パネル１０が複数並列されて、前記間仕切り壁１が構成されている。
【００１７】
面材３０は、例えば、厚さが異なる石膏ボードからなる第１面状部材３１および第２面状部材３２の２枚を貼り合わせて所定の厚さを確保して形成されている。本実施形態では、例えば第１面状部材３１の厚さが、第２面状部材３２の厚さよりわずかに厚い寸法となっている。
【００１８】
第１面状部材３１および第２面状部材３２の貼り合わせは、接着剤３５により行われ、接着剤３５は、間欠的に、すなわち、第１面状部材３１の幅方向中央部に１列、第１面状部材３１の幅方向両端部に隙間Ｌをあけてそれぞれ１列、合計３列が塗布されている。これら３列は、それぞれが直線状に、かつ互いに平行になって塗布されている。
この接着剤３５としては、弾性を有するもの、例えば、有機溶剤を含まない合成ゴム系接着剤として、アクリル酸エステル共重合体水性エマルジョンが使用されている。
【００１９】
第１面状部材３１と第２面状部材３２とは、図３に示すように、第１面状部材３１の幅方向一端部に、第２面状部材３２の幅方向一端部より所定寸法はみ出させて突出部３１Ａを形成し、第１面状部材３１の幅方向他端部は、第２面状部材３２の幅方向他端部より所定寸法後退し、第２面状部材３２の幅方向他端部に突出部３２Ｂを形成した状態に形成され、面材３０の取り付けに際してそれぞれの端部突出部３１Ａ、３２Ｂが入れ子状に係合されるようになっている。
このように形成された面材３０を、図１に示すように、下地部材２０に順次取り付けて壁パネル１０が形成され、壁パネル１０を１枚あるいは複数枚並設して間仕切り壁１が構成される。
【００２０】
面材３０は、図２に示すように、当該面材３０を下地部材２０の両側面に押し当てた後、釘３６を打ち込んで取り付けられる。壁パネル１０の上部と、天井面材２４との係合部には、コーナ補強テープ３７が貼り付けられ、また、壁パネル１０の下部と、床２８を構成する前記フローリング２８Ｂとの間には巾木３８が設けられている。
そして、建物の内部には、このような間仕切り壁１０で仕切られて、第１の部屋Ａ、第２の部屋Ｂが存在する。
【００２１】
このようにして貼り合わされた２枚の面状部材３１，３２からなる面材３０は、前述のように、下地部材２０の両側面に釘３３により順次取り付けられるが、隣り合う面材３０同士を連続させるとき、各面材３０の前記突出部３１Ａと突出部３２Ｂとを入れ子状に係合させて行う。
【００２２】
このような本実施形態によれば、次のような効果が得られる。
（１）２枚の面状部材３１，３２が、縦に３列、直線状に塗布された接着剤３５で貼り合わされており、接着剤３５が塗布されていない部位では、接着剤３５分の隙間が生じるので個別に振動し、接着剤３５の部位の振動とは別個の振動となる。その結果、面材３０全体の共振が減少し、壁パネル１０の遮音性の向上を図れる。
【００２３】
（２）接着剤３５を第１面状部材３１の縦に３列、直線状に塗布すればよいので、塗布作業が容易となり、かつ連続的に塗布作業ができ、作業効率が向上する。また、機械による自動塗布作業も可能となる。
【００２４】
（３）接着剤３５が３列に塗布されているので、接着剤３５を全面塗布、あるいは３列以上に塗布する場合と比べて、接着剤３５の塗布作業が少ない手間ですむとともに、接着剤３５の使用量も少なくてすむ。
【００２５】
（４）２枚の面状部材３１，３２の幅方向両側にそれぞれ突出部Ａ、Ｂが形成されているので、複数枚の面材３０を横方向に連続させるとき、突出部Ａ、Ｂ同士を入れ子状に重ねることができ、その結果、面材３０同士間をほぼ隙間なしで連続させることができる。
【００２６】
（５）接着剤３５が弾性を有する合成ゴム系接着剤なので、その接着剤３５でも振動を吸収でき、その結果、接着剤３５を塗布した部分でも遮音性が向上し、壁パネル１０全体として一層遮音性が向上するうえ、耐久性に優れた壁パネル１０とできる。
【００２７】
なお、本発明は前述の実施形態に限定されるものではなく、本発明の目的を達成できる範囲での変形、改良等は本発明に含まれるものである。
例えば、前記実施形態では、接着剤３５が、第１面状部材３１の貼り合わせ面の縦方向に３列、塗布されているが、これに限らず、本発明では、図５に示すように、幅方向に複数列、例えば４列に塗布してもよい。
【００２８】
また、接着剤３５は、第１面状部材３１の貼り合わせ面の縦方向に３列、塗布されているが、これに限らない。縦方向に直線状の３列以上、あるいは３列以下に塗布してもよい。
さらに、接着剤３５の塗布は、第１面状部材３１の貼り合わせ面の縦方向に３列、塗布されているが、本発明では、間欠的に行われていればよく、例えば、点状に多数塗布してもよく、波紋状に複数列の塗布、格子状、螺旋状、迷路状等、どのような形状で塗布してもよい。
【００２９】
また、接着剤３５は、第１面状部材３１の貼り合わせ面の縦方向に３列、塗布されているが、これに限らない。第２面状部材３２の貼り合わせ面の縦方向に３列、塗布してもよい。
【実施例】
【００３０】
以下、本発明の効果を具体的な実施例に基づいて説明する。
［実施例］
本実施例は、前述のような実施形態に基づいて壁パネル１０を製造した。
【００３１】
（パネル仕様）
スタッド間隔：９１０ｍｍ
断熱材：ロックウール無し
石膏ボード：第１面状部材…１２．５ｍｍ＋第２面状部材…９．５ｍｍ＝総厚さ２２                ｍｍ
（接着剤）
使用接着剤：合成ゴムラテックス系接着剤（非有機溶剤系）
塗布方法：縦に等間隔で３列（直線状かつ平行）
【００３２】
[比較例]
本比較例は、前記実施例における使用接着剤を以下のように変更した以外は、前記実施例と同様とした。
使用接着剤：酢酸ビニルエマルジョン接着剤
【００３３】
そして、上記実施例および比較例にて成形した壁パネル１０を以下の評価方法にて評価を実施した。
（評価方法）
音原室と受音室とを、前記壁パネル１０で仕切り、音原室に、例えばノイズジェネレータパワーアンプ、スピーカ、および騒音計を配置し、受音室に騒音計を配置し、スピーカから出される１２５Ｈｚ〜４ＫＨｚのオクタードバンド毎の音圧レベル（音原室の音圧レベル−受音室の音圧レベル）を求め、どのバンドでも基準線を下回らない最大の数値をＤｒ値として測定する。音原室の音圧レベルおよび受音室の音圧レベルは、ＪＩＳの規定により、各室における５点の音圧レベルの平均により与えられる。
【００３４】
以上、実施例、および比較例の遮音性能の評価結果について、表１および図６、図７に示す。
【００３５】
【表１】
2005113401.tif 000003
【００３６】
実施例によれば、図６に示すように、どのオクタードバンドでも、Ｄｒ−４０の基準曲線を大きく上回っており、Ｄｒ値は４０を示した。
【００３７】
比較例によれば、図７に示すように、どのオクタードバンドでも、Ｄｒ−３５の基準曲線を上回っており、Ｄｒ値は３５を示した。
【００３８】
ここで、例えば戸建て住宅における間仕切り壁においては、Ｄｒ−４０の値は、日本建築学会により推奨されている室用途別のＤｒ値で、遮音性能上好ましいとされている標準値であり、本実施例での遮音性能が優れていることがわかる。
これに対して、Ｄｒ−３５の値は標準以下で、許容範囲内であるに止まり、遮音性能は一応満足しうるが、実施形態より劣っていることがわかる。
なお、接着剤を全面塗布した場合、３列に塗布した場合に比べてＤｒ値で５程度下がった結果が出た。
【産業上の利用可能性】
【００３９】
本発明は、建物の間仕切り壁に利用できる他、建物の内壁にも利用することができる。
【図面の簡単な説明】
【００４０】
【図１】本発明の壁パネルの一実施形態に係る平断面図である。
【図２】前記実施形態の壁パネルの取り付け状態を示す縦断面図である。
【図３】前記実施形態の面材を示す分解斜視図である。
【図４】前記実施形態の面材を示す平断面図である。
【図５】本発明の変形形態を示す面材の分解斜視図である。
【図６】前記実施形態にかかる実施例の試験結果を表す図である。
【図７】比較例の試験結果を表す図である。
【図８】従来の面材を示す分解斜視図である。
【符号の説明】
【００４１】
１…間仕切りパネル
１０…壁パネル
２０…下地部材（芯材）
３０…面材
３１…第１面状部材
３２…第２面状部材
３５…接着剤
【図１】
2005113401.tif 000004
【図２】
2005113401.tif 000005
【図３】
2005113401.tif 000006
【図４】
2005113401.tif 000007
【図５】
2005113401.tif 000008
【図６】
2005113401.tif 000009
【図７】
2005113401.tif 000010
【図８】
2005113401.tif 000011